(57)【要約】【課題】普段、笛の吹き口が覆われていて衛生的で、吊り下げ用ストラップにコンパクトに取り付け可能で、複数音を同時に発生する等の非常用携帯笛である。【解決手段】周波数３０００〜５０００Ｈｚ内の少なくとも低音側と高音側の２音を発生する矩形の笛本体２と、笛本体のホルダ４とを備える。ホルダは、平板部２２を笛本体に下方から当て、その両側のつまみ部２４を笛本体の両側面の切り欠き部１０に嵌めて取り付けられるホルダ本体１６と、笛本体の吹き口部分６に嵌める凹状のキャップ１８と、ホルダ本体とキャップとをリード開口８とは反対側の位置で伸縮可能に連結した連結部２０とを備え、つまみ部の外面に凹凸部２５を設け、キャップに開口端側からスリット３０を設け、キャップにストラップを挟んで笛本体を係止する幅方向一方側が自由端の係止部材３４を設けた。【選択図】図２
2010091736.tif 000002
【特許請求の範囲】
【請求項１】
少なくとも低音側と高音側の２音を含む複数音を発生可能な複数の吹き口を有する矩形の笛本体と、前記笛本体を保持するホルダとを備え、
前記ホルダは、前記笛本体に着脱自在に取り付けられる枠状のホルダ本体と、前記笛本体の吹き口部分を覆うように嵌める凹状のキャップと、
前記ホルダ本体と前記キャップとを伸縮可能に連結する連結部とを備え、
前記ホルダ本体の外面の一部に凹凸部を設けたことを特徴とする非常用携帯笛。
【請求項２】
前記ホルダ本体は、その両側に前記笛本体の両側面に設けられた切り欠き部に嵌めるつまみ部を備え、前記つまみ部は外面に手の指を掛ける凹凸部を有し、そして、前記つまみ部の上端に前記笛本体の前記切り欠き部内に設けられた台状の支持部上に当てるひさし部を形成し、前記ひさし部に前記支持部の上端に設けられた突起又は穴に嵌合する穴又は突起を設けて、前記ホルダ本体を前記笛本体に固定することを特徴とする請求項１記載の非常用携帯笛。
【請求項３】
前記キャップにその開口端側を開設端とするスリットを設け、
前記キャップに前記笛本体をストラップに係止する前記笛本体の幅方向一方側を自由端とした係止部材を設けることを特徴とする請求項１又は２記載の非常用携帯笛。
【請求項４】
前記笛本体が周波数３０００〜５０００Ｈｚの帯域内の少なくとも低音側と高音側の２音を含む複数音を発生可能であることを特徴とする請求項１乃至３のいずれかの項に記載の非常用携帯笛。
【請求項５】
前記笛本体にストラップを通す穴を設けることを特徴とする請求項１乃至４のいずれかの項に記載の非常用携帯笛。
【発明の詳細な説明】
【技術分野】
【０００１】
本発明は、災害などで建物に閉じ込められたり、身に危険が及んだとき等の非常時に助けを呼ぶのに使用する非常用携帯笛に関する。
【背景技術】
【０００２】
従来より、普段から身に着けておくことによって、災害等で建物に閉じ込められたときなどに、人の存在を音で報せて外部の助けを呼ぶ非常用携帯笛が知られている（従来技術１（例えば特開平８−２２７２９２号を参照）、従来技術２（例えば特開平１１−１４３４７４号を参照））。
【０００３】
このような携帯笛は、普段、吹き口を覆っておき、使用時に吹き口を簡単に露出できることが、衛生の点で好ましい。また、携帯笛を例えばオフィス勤務の人が着衣の上にぶら下げている社員証などのストラップや携帯品などにコンパクトに取り付けることができることが好ましい。携帯笛が発生する音について言えば、人が聞きやすい音の周波数帯域でも、人によっては低音側がよく聞こえる、高音側がよく聞こえるといった聴覚の個人差があり、携帯笛は複数音を同時に発生できることが好ましい。さらに、美観上、携帯笛全体の外観が小型でシンプルなことが好ましい。
【０００４】
しかしながら、上記提案の従来技術１、２の携帯笛は、つぎのような問題があった。すなわち、従来技術１、２の携帯笛は、いずれも、吹き口が普段から露出されていて衛生的でなく、全体の外観もシンプルでない。また、従来技術１は、携帯笛のホルダに設けた穴にストラップを通して首に掛ける形式であり、社員証を吊り下げているストラップに取り付けることができない。従来技術２は、ホルダに設けた係止部材（ハンガー）で携帯笛をストラップに取り付けることができるが、係止部材が笛本体の長手方向に長く設けられている上、係止部材の自由端が笛本体の長手方向に位置しているので、係止部材でストラップを挟んだときに笛本体がストラップに対し直角方向に大きく突出し、コンパクトな取り付けができない。また、従来技術１は、発生する音の周波数を複数段に変えることはできるが、複数音を同時に発生することはできない。従来技術２は、１音しか発生することができない。
【０００５】
【特許文献１】特開平８−２２７２９２号公報
【特許文献２】特開平１１−１４３４７４号公報
【発明の開示】
【発明が解決しようとする課題】
【０００６】
本発明の目的は、普段、笛の吹き口が覆われていて衛生的であり、首に掛けられているストラップにコンパクトに取り付けることができ、また複数音を同時に発生することで聞きやすく、全体の外観も小型で普段身に付けていても邪魔にならない非常用携帯笛を提供することにある。
【課題を解決するための手段】
【０００７】
上記目的を達成するために、本発明の非常用携帯笛は、少なくとも低音側と高音側の２音を含む複数音を発生可能な複数の吹き口を有する矩形の笛本体と、前記笛本体を保持するホルダとを備え、
前記ホルダは、前記笛本体に着脱自在に取り付けられる枠状のホルダ本体と、前記笛本体の吹き口部分を覆うように嵌める凹状のキャップと、
前記ホルダ本体と前記キャップとを伸縮可能に連結する連結部とを備え、
前記ホルダ本体の外面の一部に手の指を掛ける凹凸部を設けたことを特徴とする。
【０００８】
本発明の非常用携帯笛は、少なくとも低音側と高音側の２音を発生するので、聞く人に低音側がよく聞こえる、高音側がよく聞こえるといった聴覚の個人差があっても、笛の音をよく聞くことができる。また、普段、笛本体の吹き口がキャップで覆われているので衛生的である。しかも、ホルダ本体とキャップとを連結部で伸縮可能に取り付けているので、ホルダ本体を一方の手の指で掴み、他方の手の指でキャップを掴んで引張ることにより、キャップを外して吹き口を露出することができる。しかも、ホルダ本体は、外面の一部に手の指を掛ける凹凸部を設けているので、その凹凸部上から笛本体を滑りを生じることなくしっかり掴むことができる。また携帯笛は、矩形の笛本体と、笛本体に着脱自在に取り付けられる枠状のホルダ本体と、笛の吹き口部分を覆うように嵌めるキャップと、ホルダ本体及びキャップを伸縮可能に連結する連結部とからなり、携帯笛の全体がほぼ矩形状を呈するように形成されているので、外観がシンプルであって、笛本体と一体にしているのでキャップを紛失しにくい。
【０００９】
本発明の一態様によれば、ホルダ本体は、その両側に前記笛本体の両側面に設けられた切り欠き部に嵌めるつまみ部を備え、前記つまみ部は外面に手の指を掛ける凹凸部を有し、そして、前記つまみ部の上端に前記笛本体の前記切り欠き部内に設けられた台状の支持部上に当てるひさし部を形成し、前記ひさし部に前記支持部の上端に設けられた突起又は穴に嵌合する穴又は突起を設けて、前記ホルダ本体を前記笛本体に固定することができる。
【００１０】
これにより、ホルダ本体のつまみ部を笛本体の切り欠き部に嵌めることで、ホルダ本体を笛本体に着脱自在に取り付けることができ、つまみ部の上端のひさし部に設けられた穴又は突起を切り欠き部内の支持部の上端に設けられた突起又は穴に嵌合することで、ホルダ本体の笛本体に対する取り付けをより確実にすることができる。また、つまみ部の外面に手の指を掛ける凹凸部を設けているので、つまみ部のところで笛本体を滑りを生じることなくしっかり掴むことができる。
【００１１】
本発明の一態様によれば、前記キャップにその開口端側を開設端とするスリットを設け、前記キャップに前記笛本体をストラップに係止する前記笛本体の幅方向一方側を自由端とした係止部材を設けることができる。
【００１２】
このように、キャップの開口端にスリットを設けているので、キャップを笛本体の吹き口部分から容易に外し又嵌めることができる。また、キャップに携帯笛の係止部材を設け、その係止部材を自由端が笛本体の幅方向一方側となるように配置しているので、係止部材で社員証などを吊り下げているストラップを挟んで携帯笛を取り付けると、携帯笛の長手方向がストラップの長手方向に沿うため、ストラップから直角方向に突出することがなく、コンパクトな取り付けができる。
【００１３】
本発明の一態様によれば、前記笛本体が周波数３０００〜５０００Ｈｚの帯域内の少なくとも低音側と高音側の２音を含む複数音を発生可能とすることができる。一般に人が聞きやすい音の周波数は３０００〜５０００Ｈｚであるとされている。このため、人が聞きやすい音の周波数帯域内の低音側と高音側の２音、例えば周波数３２００Ｈｚと４８００Ｈｚの２音を発生することにより、高音が聞き取りやすい人や低音が聞き取りやすい人など、聞く人に聴覚の個人差があっても、笛の音をよく聞くことができる。
【００１４】
本発明の一態様によれば、前記笛本体に別のストラップを通す穴を設けることができる。これにより、携帯笛を首に下げるストラップに係止させたり、携帯電話など取り付けられている付属のストラップに取り付けることができ、ホルダと笛本体がバラバラになることがなく、キャップを紛失することもない。
【発明の効果】
【００１５】
本発明によれば、普段、笛本体の吹き口が覆われていて衛生的であり、社員証などを吊り下げているストラップにコンパクトに取り付けることができ、また複数の音を同時に発生することで多くの人に聞きやすく、全体の外観もシンプルでコンパクトで普段身に付けていても邪魔にならないといった利点を有する非常用携帯笛が提供される。
【発明を実施するための最良の形態】
【００１６】
以下、本発明の非常用携帯笛の一実施形態を図面に基づき説明する。図１は、本発明の非常用携帯笛の一実施形態を示す斜視図、図２は、非常用携帯笛の分解斜視図である。
【００１７】
本実施形態の非常用携帯笛１は、図１及び２に示すように、基本的に、低音側の音と高音側の音を含む複数の音、本例では、２音を発生可能な矩形状の笛本体２と、この笛本体２を保持するホルダ４とからなっている。
【００１８】
笛本体２は長手方向後端部が吹き口部分６に形成され、笛本体２の上面には、吹き口部分６寄りの位置にリード開口８が開設されている。笛本体２の両側面のリード開口８に近接した位置には、台状の支持部１２を有する切り欠き部１０が設けられている。支持部１２は、その上面及び側面が笛本体２の上面及び側面から内側に後退した三角柱状に形成されており、支持部１２の上端には突起１４が設けられている。笛本体２の長手方向先端部の中央位置には、根付用のストラップを通す穴４４が上下方向に貫通している。笛本体２は硬質樹脂、例えばＡＢＳ樹脂で形成されている。
【００１９】
ホルダ４は、笛本体２に取り付けられる枠状のホルダ本体１６と、吹き口部分６に嵌める直方体状の凹状キャップ１８と、ホルダ本体１６及びキャップ１８を伸縮可能に連結したＳ字状の連結部２０とを備えている。これらホルダ本体１６、キャップ１８及び連結部２０は、軟質樹脂（エラストマー等）で一体成形されている。
【００２０】
ホルダ本体１６は、笛本体２の下面に当てられる平板部２２と、この平板部２２の長手方向後端の伸縮部２０寄りの両側位置に立設されたつまみ部２４とを備えている。平板部２２の長手方向先端部には、笛本体２の根付用の穴４４と連通する穴２８が設けられている。つまみ部２４は、基本的に、笛本体２の両側面の切り欠き部１０内に支持部１２の側面位置で嵌まる板形状を備え、つまみ部２４の上端には、笛本体２の切り欠き部１０内の支持部１２の上面に当てるひさし部２６が形成されている。ひさし部２６には、上記支持部１２の上面の突起１４に嵌る穴２７が設けられている。つまみ部２４の外面には、つまみ部２４を手の指で掴む際の滑りをなくすために、指との摩擦を大とする凹凸部２５が縦方向に設けられている。
【００２１】
ホルダ本体１６は、平板部２２を笛本体２の下面に当てて、つまみ部２４を笛本体２の両側面の切り欠き部１０に嵌めることによって、笛本体２に着脱自在に取り付けられている。さらに、切り欠き部１０内の支持部１２の上面に当てたひさし部２６の穴２７を支持部１２の上面の突起１４に嵌めることで、笛本体２からのホルダ本体１６の外れを防止して、ホルダ本体１６の取り付けを確実にしている。また、笛本体２の下面に当てた平板部２２の先端部は、笛本体２の先端部下面の周囲三方に設けられた縁部４３（図４（ａ）、（ｂ）参照）の間に挿入され、平板部２２の穴２８が笛本体２の根付用の穴４４と重なることにより、これらの穴２８及び４４を通して根付用のストラップを携帯笛１を貫通した形態に取り付けられるようになっている。
【００２２】
連結部２０は、平板部２２のつまみ部２４側の長手方向後端とキャップ１８の開口端の下側位置との間に、それらの幅方向中央位置において連設されている。この連結部２０は、キャップ１８を笛本体２の吹き口部分６に嵌めた状態で、Ｓ字形状が軽度に伸張して、下方に垂れずに笛本体２の下面に沿った姿勢に保持されるようになっている。キャップ１８の一面、本例では上面に、スリット３０が設けられている。スリット３０は、キャップ１８の開口端側から開設してジグザグに設けてあり、キャップ１８に開口端側から笛本体を挿入する際に樹脂の弾性変形を利用して容易に挿入可能になっている。
【００２３】
キャップ１８の下面には、図３に示すように、ベース板３４を介して貼り付けられた一体成形の係止部材３２が設けられており、図５に示すように、係止部材３２により携帯笛１を社員証などを吊り下げているストラップ４６に取り付け可能になっている。この係止部材３２は、笛本体２の幅方向一方側を自由端３２ａとした山形のフレームからなっており、自由端３２ａの手前の部分は、ベース板３４に向けて湾曲させることにより押さえ部３２ｂに形成されている。係止部材３２を平紐状のストラップに適用できるだけでなく、丸紐状のストラップにも適用できるようにするために、係止部材３２の基端部側には、丸紐状のストラップを収容して押える大きな空間３３を形成している。また、ベース板３４には係止部材３２の自由端３２ａの前方位置に、押え部３２ｂで押えた平紐状のストラップの抜け止め防止バー３８が設けられている。
【００２４】
笛本体２は、図４（ａ）〜（ｃ）に示すように、吹き口部分６の端部に大小２つの吹き口４０ａ、４２ａが開口されており、笛本体２の内側には、大きい方の吹き口４０ａに続く細長い長目の振動空間４０ｂを有する低音側の笛構造体４０と、小さい方の吹き口４２ａに続く細長い短目の振動空間４２ｂを有する高音側の笛構造体４２とが構築されている。これらの笛構造体４０、４２は、人が聞きやすい周波数３０００〜５０００Ｈｚの帯域内の音が発生可能に形成されている。本発明のあくまで一例として、笛構造体４０は、上記周波数帯域のうちの低音側の３２００Ｈｚの音を発生し、笛構造体４２は、上記周波数帯域のうちの高音側の４８００Ｈｚの音を発生するように形成した。なお、低音側及び高音側の音の周波数は、３０００Ｈｚに近い低音側においては３０００〜３５００Ｈｚとし、５０００Ｈｚに近い高音側においては４５００〜５０００Ｈｚとするのが好ましいが、上記以外でもよい。また笛本体２の発生音数は、サイズの点からは２音がよいが、必ずしもこれに限定するものではなく、低音側及び高音側の２音を含むならば３音以上としてもよい。
【００２５】
本実施形態の非常用携帯笛１を平紐状のストラップに取り付けるには、図５に示すように、平紐状のストラップ４６をキャップ１８の下面に設けられた係止部材３２内に挿入し、係止部材３２の自由端３２ａの手前の押え部３２ｂでストラップ４６をベース板３４との間で挟めばよい。キャップに携帯笛１の幅方向一方側が自由端となるように係止部材３２を設けているので、携帯笛１の長手方向がストラップ４６の長手方向に沿った姿勢に携帯笛１を係止することができ、ストラップから直角方向に突出することなく、コンパクトな取り付けができる。丸紐状のストラップの場合には、係止部材３２内の基端部側に形成された大きな空間３３に丸紐状のストラップを挿入して、係止部材３２で丸紐状のストラップをベース板３４との間で押えればよい。同様に、コンパクトな取り付けができる。
【００２６】
また、携帯笛１には、笛本体２の穴４４及びホルダ本体４の穴２８を通して第２のストラップを取り付けることができるので、係止部材３２による上記の第１ストラップ４６への取り付けに合わせて、図示しない第２のストラップを第１のストラップ４６に縛り付けることにより、該ストラップ４６への携帯笛１の取り付けをより安定にすることができ、ストラップ４６から携帯笛１が外れることがなく、キャップ１８を紛失することがない。さらに、第２のストラップとして携帯電話や小銭入れ等の携帯品の根付用のストラップを利用すれば、これら携帯品に形態笛１を取り付けることができる。
【００２７】
使用時には、ホルダ４のつまみ部２４を一方の手の指で掴み、他方の手の指でキャップ１８を掴んで引張ることにより、ホルダ本体１６とキャップ１８とを伸縮自在に取り付けた連結部２０が伸張して、キャップ１８が吹き口部分６から外れて吹き口部分６が露出する。吹き口部分６が露出した携帯笛１は、ストラップ４６から外すことなく、そのまま口のところへ持っていって、使用に供することができる。上記の吹き口部分６からキャップ１８を外す動作時、キャップ１８の開口端側をスリット３０により拡縮自在としているので、キャップ１８を吹き口部分６から引張ることにより（笛本体２をキャップ１８から引張ることでもよい）、容易にキャップ１８が外れる。嵌めるときも同様で、吹き口部分６に被せたキャップ１８を押し込むこと（吹き口部分６をキャップ１８に対し押し込むことでもよい）で容易に嵌めることができる。また、つまみ部２６の外面に凹凸部２５を設けているので、指でつまみ部２６上から笛本体２を滑りを生じることなくしっかりと掴んで保持することができ、吹き口部分６に対するキャップ１８の取り外し、取り付けを操作性よく行うことができる。
【００２８】
本実施形態では、携帯笛１を吹くと、人の聞きやすい３０００〜５０００Ｈｚの周波数帯域内の低音側の３２００Ｈｚと高音側の４８００Ｈｚの２音を発生するので、聞く人に低音側がよく聞こえる、高音側がよく聞こえるといった聴覚の個人差があっても、笛の音をよく聞くことができる。したがって、建物などに閉じ込められた際に、更に自己の身に危険が及んだときにおいても携帯笛１を吹くことによって、人の存在を外部に確実に報せることができる。そして、普段、笛本体２の吹き口部分６にキャップ１８が嵌められ、吹き口４０ａ，４２ａが覆われているので衛生的である。また携帯笛１は、矩形の笛本体２と、笛本体２に取り付けられる枠状のホルダ本体４と、笛本体の吹き口部分６を覆って嵌めるキャップ１８と、ホルダ本体４及びキャップ１８を繋ぐ連結部２０と、キャップ１８に設けられた係止部材３４とからなり、携帯笛１の全体がほぼ矩形状を呈するように形成されているので、外観がシンプルである。
【００２９】
以上、本発明の実施形態を説明した。本発明は、一々例示はしないが、その趣旨を逸脱しない範囲内において、種々の変更が加えられて実施されるものである。
【図面の簡単な説明】
【００３０】
【図１】本発明の非常用携帯笛の一実施形態を示す斜視図である。
【図２】非常用携帯笛の分解斜視図である。
【図３】笛本体の吹き口部分のキャップに設けられた係止部材を示す斜視図である。
【図４】笛本体を示す図で、（ａ）は平面図、（ｂ）は縦断面図、（ｃ）は端面図である。
【図５】係止部材により携帯笛をストラップに取り付けるところを示す斜視図である。
【符号の説明】
【００３１】
１                非常用携帯笛
２                笛本体
４                ホルダ
６                吹き口部分
１０              切り欠き部
１２              支持部
１４              突起
１６              ホルダ本体
１８              キャプ部
２０              連結部
２４              つまみ部
２５              凹凸部
２６              ひさし部
２７，２８,４４    穴
３０              スリット
３２              係止部材
４０，４２        笛構造体
４０ａ，４２ａ    吹き口
４６              平紐状ストラップ
【図１】
2010091736.tif 000003
【図２】
2010091736.tif 000004
【図３】
2010091736.tif 000005
【図４】
2010091736.tif 000006
【図５】
2010091736.tif 000007